(57)【要約】      （修正有）【課題】木目を生かした木製シート状の木製織物と、その木製織物を使用した畳を提供する。【解決手段】  木製の薄板を所定の方向に沿って一定間隔で竹ひご状に裁断したシートメンバー３１１を連結手段としての連結糸３１２によって薄板が裁断された順番に沿って並べて折り畳み可能なシート状に形成する。【選択図】図３
0003101721.tif 000002
【実用新案登録請求の範囲】
【請求項１】
木製の薄板を所定の方向に沿って一定間隔で竹ひご状に裁断したものからなるシートメンバーと、同シートメンバー同士を互いに連結して１枚のシート体に形成する連結手段とを備え、上記シートメンバーは、上記薄板が裁断された順番に沿って並べられ、上記連結手段を介して折り畳み可能なシート状に形成されていることを特徴とする木製織物。
【請求項２】
上記各シートメンバーの厚さは、１．０〜０．０１ｍｍである請求項１に記載の木製織物。
【請求項３】
上記薄板の一方の面には、木目などの天然表示要素と、さらに印刷などによって形成された人工表示要素とが設けられている請求項１または２に記載の木製織物。
【請求項４】
裏面側にトルマリン（電気石）を配合してなるトルマリンシートをさらに備える請求項１〜３のいずれか１項に記載の木製織物。
【請求項５】
裏面側に活性炭素材を配合してなる活性炭シートをさらに備える請求項１〜４のいずれか１項に記載の木製織物。
【請求項６】
上記請求項１〜５のいずれか１項に記載の木製織物を畳床に一体的に貼り合わせてなることを特徴とする畳。
【考案の詳細な説明】
【技術分野】
【０００１】
本考案は、木製の木製織物とその木製織物を有する畳に関し、さらに詳しく言えば、木目などの模様をそのまま生かすことができる木製織物に関する。
【背景技術】
【０００２】
畳を例にして説明すると、一般に畳は、い草を編み込んでシート状に形成された畳表を畳床の表面に貼り合わせたものから構成されているが、最近では、住居のインテリアや用途に併せて、い草を染色して色を付けた畳表や、い草の代わりに麻などの繊維素材を編み込んだ畳表を使ったものが一部で提供されている。
【０００３】
他方において、例えば特許文献１に示されているように、薄くスライスした木製の薄板を短冊状に裁断して、それらを編み込んでなる木製パネルも提案されている。これによれば、このパネルを床材や壁材として用いることにより、木の風合いや色味を生かしたインテリアが提供できる。
【０００４】
木材にはまた、木目と呼ばれる独特の模様がある。木目は、木材１つ１つによって異なり、その模様を生かすことにより、独特の風合いやデザインを付けることもできる。
【０００５】
しかしながら、木材を畳表に適用するには次のような課題があった。すなわち、特許文献１に記載の方法では、シート状に形成できるものの短冊状の薄板を編み込んでいるため、上述した木目を生かしたシート状に形成することはできない。
【０００６】
【特許文献１】特開２００１−３００９１０号公報
【考案の開示】
【考案が解決しようとする課題】
【０００７】
そこで、本考案は上述した問題を解決するためになされたものであって、その目的は、木目を生かしたシート状の木製織物と、その木製織物を使用した畳を提供することにある。
【課題を解決するための手段】
【０００８】
上述した目的を達成するため、本考案は、以下に示すいくつかの特徴を備えている。請求項１の木製織物は、木製の薄板を所定の方向に沿って一定間隔で竹ひご状に裁断したものからなるシートメンバーと、同シートメンバー同士を互いに連結して１枚のシート体に形成する連結手段とを備え、上記シートメンバーは、上記薄板が裁断された順番に沿って並べられ、上記連結手段を介して折り畳み可能なシート状に形成されていることを特徴としている。
【０００９】
請求項２は、上記各シートメンバーの厚さは、１．０〜０．０１ｍｍであることを特徴としている。
【００１０】
請求項３は、上記薄板の一方の面には、木目などの天然表示要素と、さらに印刷などによって形成された人工表示要素とが設けられていることを特徴としている。
【００１１】
請求項４および５は、裏面側にトルマリン（電気石）を配合してなるトルマリンシートおよび／または活性炭素材を配合してなる活性炭シートをさらに備えていることを特徴としている。
【００１２】
請求項６は、請求項１〜５のいずれか１項に記載の木製織物を畳床に一体的に貼り合わせてなることを特徴としている。
【考案の効果】
【００１３】
請求項１に記載の考案によれば、薄板を裁断した順番通りに並べて連結手段でシート状に連結することにより、元の木材の木目を生かした木製織物を作ることができる。なお、本発明において、木製織物とは、畳を敷いたときに表側に露出する部分を言う。
【００１４】
請求項２に記載の考案によれば、厚さを１．０〜０．０１ｍｍとしたことにより、木製織物に使用しても使用感が変わらず、薄くて丈夫な木製織物を得ることができる。
【００１５】
請求項３に記載の発明によれば、天然模様に加えて、さらに人工模様を加えることで縒り、デザイン性に富んだ木製織物を提供することができる。
【００１６】
請求項４および５に記載の考案によれば、トルマリンシートを設けることにより、トルマリンからのマイナスイオン効果が得られる。また、活性炭シートを設けることにより、活性炭の脱臭効果が得られ、部屋の臭いなどを吸収することができる。
【００１７】
請求項６に記載の発明によれば、上述した請求項１〜５に記載された木製織物を使用した畳を用いることで、住居のインテリアや環境を整えることができる。
【考案を実施するための最良の形態】
【００１８】
次に、本考案の実施形態について、図面を参照しながら説明する。図１は本発明の一実施形態に係る木製織物を使用した畳の斜視図が示されており、図２は、その要部断面図である。
【００１９】
この畳１は、畳床２と、同畳床２の表面側（図２では上面側）に一体的に貼り合わせられた木製織物３とを有し、長手方向に沿った両側縁が縁４によって固定されている。畳床２は、被設置面（図２では下面側）に配置された芯材２１と、同芯材２１と木製織物３との間に介装されたクッション材２とを備えている。
【００２０】
芯材２１は、例えば合板などからなる化学床からなり、畳１全体の約１／３程度の厚さに形成されている。この実施形態において、芯材２１は、化学床を使用しているが、これ以外に、天然の藁を使用した藁床を用いてもよい。
【００２１】
クッション材２２は、硬質ウレタンフォームからなり、芯材２１を覆うようにして設けられている。なお、この実施形態において、クッション材２２は硬質ウレタンフォーム製であるが、これ以外に畳としてのクッション性を有するものであれば、仕様に応じて適宜選択してよい。
【００２２】
本考案において、畳床２の具体的な構成は任意的事項であり、一般的な市販の畳床を用いてもよく、その仕様および形状は任意に設定可能である。
【００２３】
木製織物３は、木製の折り畳み可能なシートからなる木材シート３１と、同木材シートの裏面側に一体的に貼り合わせられるトルマリンシート３２および活性炭シート３３とを備えている。
【００２４】
図３に示すように、木材シート３１は、１枚の木製の薄板を一定方向かつ一定間隔で裁断した多数のシートメンバー３１１と、同シートメンバー３１１同士を繋ぎ合わせて連結する連結手段としての連結糸３１２とを備えている。なお、この実施形態において、木材シート３１は１畳分の畳を形成するに必要な大きさに形成されている。
【００２５】
各シートメンバー３１１は、例えばアカマツ、エゾマツ、シナノキ、モミおよびキリの他、ブナ、カラマツ、ホオ、ケヤキなどの各種材木を使用することができるが、この実施形態ではアカマツを使用している。なお、天然材木以外に合板材料を用いてもよい。
【００２６】
各シートメンバー３１１には、木目などの天然表示要素に加えて、所定の模様がパターン印刷された人工表示要素３１３を備えている。この実施形態において、人工表示要素３１３は、一定方向に向かって並んだ矢印状の印刷からなるが、これ以外の模様を印刷してもよい。なお、その形状および印刷方法などは仕様に応じて任意に選択できる。
【００２７】
各シートメンバー３１１は、木製の薄板を幅３．０ｍｍ、厚さ０．０５ｍｍで竹ひご状に裁断したものからなるが、シートメンバー３１１の厚みは、１．０〜０．０１ｍｍの範囲内であればで仕様に応じて任意に変更できる。
【００２８】
連結糸３１２は、木材シート３１を折り畳んだり、擦れたりしても各シートメンバー３１１同士が解れないように天然製もしくは人工製の糸が用いられている。この実施形態において、連結糸３１２は絹糸からなり、１本の絹糸を３本一束に束ねた状態で用いられている。
【００２９】
図４を参照して、木材シート３１の製造手順の一例について説明する。まず、図４（ａ）に示すように、予め図示しない印刷装置にて木材の薄板Ｗに所定の模様（人工表示要素３１３）を印刷しておく。
【００３０】
次に、図４（ｂ）に示すように、この薄板Ｗを所定方向（この実施形態では左端から）に沿って一定間隔で順々に裁断していく。このとき、裁断されたシートメンバー３１１ａ、３１１ｂ、３１１ｃは、裁断された順番に並べて保管しておく。なお、この例では最初の３枚のシートメンバー３１１ａ〜３１１ｂしか示されていないが、実際には薄板Ｗ１枚分に相当するシートメンバー３１１が得られる。
【００３１】
この状態で、各シートメンバー３１１同士を連結する。連結するに当たっては、図示しない編み込み装置が用いられる。編み込み装置としては、従来より用いられているゴザやすだれなどの編み込み装置が基本的に応用可能である。
【００３２】
図３（ｃ）に示すように、まず、この編み込み装置に裁断した順序で各シートメンバー３１１を面をそろえて送り込んでゆく、編み込み装置内には、連結糸３１２が内蔵されており、一方のシートメンバー３１１ａの上側を通って、次のシートメンバー３１１ｂの下側に引き出され、これを順次繰り返す。
【００３３】
また、隣接する連結糸３１２は、一方のシートメンバー３１１ａの下側面を通って、次のシートメンバー３１１ｂの上側面に引き出され、これを順次繰り返す。これにより、図４（ｄ）に示すように、各シートメンバー３１１同士が裁断された順序に沿って編み込まれる。このとき、連結糸３１２は、木材シート３１を上（表面）から見て千鳥状に表れる。
【００３４】
これによれば、木材シート３１は、加工前の薄板Ｗと同じ木目を生かした状態で連結糸３１２を介して折り畳み可能なシート状に形成されることにより、木製織物３としての機能を備えることができる。
【００３５】
トルマリンシート３２は、トルマリン鉱石（いわゆる電気石）を粉末化するなどして樹脂に配合したもを不織布など適度な通気性を有するシート状に形成したものからなる。なお、トルマリンの配合方法や配合比などについては任意的事項である。
【００３６】
この実施形態において、トルマリンシート３２は、木材シート３１の裏面側に粘着剤を介して裏打ちされているが、例えば独立形成されたトルマリンシート３２を木材シート３１と畳床２との間に介装するようにしてもよいし、畳床２側に設けるようにしてもよい。
【００３７】
活性炭シート３３は、木炭などの活性炭材料を粉末化して、樹脂などの母材に配合したものを不織布などの通気性を有するシート状に形成したものからなる。なお、活性炭の種類や配合方法、配合比などについては任意的事項である。また、この実施形態においては、シート状のものを使用しているが、活性炭塗料を木材シート３１や畳床２に塗布しても同様の効果が得られる。
【００３８】
活性炭シート３３も、木材シート３１の裏面側にトルマリンシート３２と重ね合わされた状態で裏打ちされているが、例えば独立して木材シート３１と畳床２との間に介装するしてもよいし、畳床２側に設けるようにしてもよい。
【００３９】
なお、上述した実施形態において、本考案の畳１および木製織物３は、床材としての畳を例にとって説明したが、例えば畳をマットレスの代わりに使用するベット（いわゆる畳ベッド）などの目的で使用してもよく、畳の形態として使用可能な応用例も本発明に含まれる。
【産業上の利用可能性】
【００４０】
本発明の木製織物は、畳表としての用途以外に、敷物、各種壁装材、簾、ブラインド、包装材などにも利用することができる。
【図面の簡単な説明】
【００４１】
【図１】本考案の一実施形態に係る木製織物を使用した畳の部分断面斜視図。
【図２】上記実施形態の畳の部分断面図。
【図３】木製織物を構成する木材シートの一部分を示す正面図。
【図４】上記木材シートの製造手順を模式的に説明する説明図。
【符号の説明】
【００４２】
１  畳
２  畳床
３  木製織物
３１  木材シート
３２  トルマリンシート
３３  活性炭シート
Ｗ  薄板
【図１】
0003101721.tif 000003
【図２】
0003101721.tif 000004
【図３】
0003101721.tif 000005
【図４】
0003101721.tif 000006